(57)【要約】【課題】親機から子機への無駄な映像信号送信を停止して省電力を達成するとともに、子機が省電力モードである場合、子機の液晶パネルへの電力供給を停止して、液晶パネルへの負担を少なくする。【解決手段】表示入力装置である親機と子機を含む表示システムでは、親機は、親機の動作を制御する処理を行うとともに、親機と子機の省電力モードへの移行を判断する処理を行う処理部と、少なくとも子機に向けて映像信号を送信する第１通信部を備え、子機は、液晶パネルとバックライトを含み、映像信号に基づき表示を行う表示部と、第１通信部と接続され、少なくとも親機から映像信号を受信する第２通信部を備え、子機が省電力モードに移行する場合、親機は、子機への映像信号の送信を停止し、子機の処理部は、親機からの映像信号がなくなった際、子機の表示部の液晶パネル及びバックライトへの電力供給を停止する。【選択図】図８
2010231496.tif 000002
【特許請求の範囲】
【請求項１】
表示入力装置である親機と、表示入力装置である子機を含む表示システムであって、
前記親機は、
液晶パネルとバックライトを含む第１表示部と、
前記親機に対する入力を受け付ける第１入力部と、
前記親機の動作を制御する処理を行うとともに、前記親機と前記子機の省電力モードへの移行を判断する処理を行う第１処理部と、
少なくとも、前記子機に向けて映像信号を送信するとともに、前記子機の入力信号を前記子機から受信する第１通信部と、を備え、
前記子機は、
液晶パネルとバックライトを含み、前記映像信号に基づき表示を行う第２表示部と、
前記子機に対する入力を受け付ける第２入力部と、
前記子機の動作を制御する処理を行う第２処理部と、
前記第１通信部と接続され、少なくとも、前記親機から前記映像信号を受信するとともに、前記親機に向けて入力信号を送信する第２通信部と、
を備え、
前記子機が省電力モードに移行する場合、
前記親機は、前記子機への映像信号の送信を停止し、
前記第２処理部は、前記親機からの前記映像信号がなくなった際、前記第２表示部の液晶パネル及びバックライトへの電力供給を停止することを特徴とする表示システム。
【請求項２】
前記第２表示部への電力供給停止状態で前記第２入力部への入力があった場合、前記子機は、前記親機に向けて前記映像信号の送信再開を要求する要求信号を前記第２通信部から前記第１通信部へ送信し、前記第２処理部は、前記映像信号の送信が再開されてから前記第２表示部への電力供給を再開させることを特徴とする請求項１記載の表示システム。
【請求項３】
前記親機と制御対象とに通信可能に接続され、前記制御対象を制御するためになされた前記第１入力部又は前記第２入力部への入力に基づき、前記制御対象の制御を行う制御装置を有し、
前記親機は、前記子機に送信する前記映像信号と異なる形式の映像信号の供給を前記制御装置から受け、前記親機の第１表示部で表示を行うため、及び／又は、前記映像信号を前記子機に送信するために前記異なる形式の映像信号の形式を変換する１又は複数のデータ変換器を有し、
前記第１処理部は、前記親機及び前記子機がいずれも省電力モードである場合、前記データ変換器への電力供給を停止することを特徴とする請求項１又は２に記載の表示システム。
【請求項４】
他の表示入力装置と接続され、少なくとも、前記他の表示入力装置からの映像信号を受信するとともに、前記他の表示入力装置に向けて入力信号を送信する通信部と、
液晶パネルとバックライトを含み、前記他の表示入力装置からの映像信号に基づく表示を行う表示部と、
入力を受け付ける入力部と、
前記他の表示入力装置からの映像信号がない状態では、前記表示部の液晶パネルとバックライトへの電力供給を停止する処理部を有することを特徴とする表示入力装置。
【請求項５】
前記表示部への電力供給停止状態で前記入力部への入力があった場合、
前記通信部は、前記他の表示入力装置に向けて、前記他の表示入力装置からの映像信号の送信再開を要求する要求信号を送信し、
前記処理部は、前記他の表示入力装置からの映像信号の送信が再開されてから前記表示部への電力供給を再開させることを特徴とする請求項４記載の表示入力装置。
【発明の詳細な説明】
【技術分野】
【０００１】
本発明は、親子接続された２台以上の表示入力装置からなる表示システムに関する。また、表示システムで用いられる子機としての表示入力装置に関する。
【背景技術】
【０００２】
従来から、例えば、工場内の製造装置、医療機器、銀行のＡＴＭ、鉄道等の発券装置など、多方面にわたり、各種装置、機器の操作用に、操作用画像等の表示画面（例えば、液晶表示画面）と、タッチパネル等の入力装置を備える表示入力装置がある。表示入力装置は、旧来の表示部のない操作盤による入力に比べ、操作用画像を入力に応じて切り替えることで入力を容易に行える点や、各種装置、機器の設定状況や稼働状況を目視で確認できる点などの利点を有する。そのため、各技術分野での採用、導入が進められている。
【０００３】
そして、表示入力装置は、同様の操作用画像等を表示する２台以上の表示入力装置を親子接続したシステムとして設置されることがある。例えば、大型の医療機器（例えば、放射線による撮影装置）では、被曝回避等の観点から、医療機器の設置場所と、技師等の操作者が操作する場所が位置的に離されるように（例えば、別室）、医療機器の近傍に表示入力装置を設け、操作者の操作部屋にも表示入力装置を設け、両方の表示入力装置で医療機器を操作可能とすることがある。又、大型の製造装置（例えば、半導体製造装置や多機能製造装置など）では、操作しやすくするため、２台以上の表示入力装置を親子接続しつつ、位置的に離して製造装置の周囲に設けることがある。
【０００４】
例えば、親子接続された２以上の表示装置に同様の表示を行わせる画像表示システムの一例が、特許文献１に記載されている。特許文献１には、主表示装置と、副表示装置と、主、副表示装置を接続するシリアル式のデータ通信路とを備え、主、副表示装置の表示デバイスは、データが並列的に入力されるデジタル式であり、主表示装置でのパラレル状の表示データをシリアル状の表示データに変換し、シリアル式のデータ通信路を介して副表示装置側に送出する一方、副表示装置では、入力されたシリアル状の表示データをパラレル状の表示データに戻して表示デバイスに入力する画像表示システムが記載されている。これにより、主、副表示装置で略同一の画面表示を可能とし、副表示装置の構成を可及的に簡略化し、データ通信路の長さの自由度が増す。（特許文献１：請求項１、段落［０００６］、［０００７］、［００１１］等参照）。
【特許文献１】特開平１１−１３４１６４号
【発明の概要】
【発明が解決しようとする課題】
【０００５】
近年、環境保護、省エネ等の観点から、表示入力装置は、所定時間使用されないと装置内の一部の駆動を停止させ、消費電力を低減させる省電力モードを有することがある（例えば、表示入力装置内のバックライトの消灯）。そして、所定時間の計時（カウント）を親機が行い、親機が省電力モードへの移行を決定し、子機に省電力モードへの移行を指示することがある。具体的に、従来、親機は、省電力モードへの移行時、自己のバックライトの消灯を行うとともに、子機に対しバックライトの消灯指示信号を発していた。
【０００６】
従来、省電力モードでは、親機、子機ともに、バックライトは消灯されるが、液晶パネルへの電力供給を遮断していない（特に子機）。又、親機は、モードを問わず、子機に向けて映像信号を流し続けていた。そのため、親機、子機の液晶パネルの駆動が続き、省電力モードでも液晶パネルに負担がかかっているという問題がある。更に、親機は子機に映像信号を流し続けるため、省電力モードでも映像信号の処理を行っており、無駄な電力が消費されているという問題もある。
【０００７】
尚、特許文献１記載の発明は、主表示装置と副表示装置間のデータ伝送を、シリアル通信で行い、確かに、副表示装置の構成簡略化によるコストダウンや、主表示装置と副表示装置間のケーブル長の延長化に対応可能な点で大きな利点がある。しかし、省電力モード時にも液晶パネルが駆動していて負担がかかっている問題や、子機への映像信号を流し続けることによる無駄な電力消費という問題に対応するための記載はない。
【０００８】
本発明は、上記従来技術の問題点に鑑みてなされたものであり、子機が省電力モードである場合、親機から子機への無駄な映像信号送信を停止して省電力を達成するとともに、省電力モードの親機や子機の液晶パネルへの電力供給を停止して、液晶パネルへの負担を少なくすることを課題とする。
【課題を解決するための手段】
【０００９】
上記課題を解決するため請求項１に係る表示システムは、表示入力装置である親機と、表示入力装置である子機を含む表示システムであって、前記親機は、液晶パネルとバックライトを含む第１表示部と、前記親機に対する入力を受け付ける第１入力部と、前記親機の動作を制御する処理を行うとともに、前記親機と前記子機の省電力モードへの移行を判断する処理を行う第１処理部と、少なくとも、前記子機に向けて映像信号を送信するとともに、前記子機の入力信号を前記子機から受信する第１通信部と、を備え、前記子機は、液晶パネルとバックライトを含み、前記映像信号に基づく表示を行う第２表示部と、前記子機に対する入力を受け付ける第２入力部と、前記子機の動作を制御する処理を行う第２処理部と、前記第１通信部と接続され、少なくとも、前記親機から前記映像信号を受信するとともに、前記親機に向けて入力信号を送信する第２通信部と、を備え、前記子機が省電力モードに移行する場合、前記親機は、前記子機への映像信号の送信を停止し、前記第２処理部は、前記親機からの前記映像信号がなくなった際、前記第２表示部の液晶パネル及びバックライトへの電力供給を停止することとした。
【００１０】
この構成によれば、親機に設けられ、例えば、タイマ等を有する第１処理部による判断のもと、子機が省電力モード移行する場合、親機は、子機への映像信号の送信を停止するので、親機における映像信号送信のための無駄な電力の消費をなくすことができる。従って、表示システムでの消費電力を減らすことができる。又、省電力モードでは、子機は映像信号がなくなったことをトリガとして、子機の液晶パネルへの電力供給を停止して、子機の液晶パネルの駆動を停止させるので、子機の液晶パネルの負担を少なくし、子機の液晶パネルでの無駄な電力の消費もなくすことができる。
【００１１】
又、請求項２に係る発明は、請求項１記載の発明において、前記第２表示部への電力供給停止状態で前記第２入力部への入力があった場合、前記子機は、前記親機に向けて前記映像信号の送信再開を要求する要求信号を前記第２通信部から前記第１通信部へ送信し、前記第２処理部は、前記映像信号の送信が再開されてから前記第２表示部への電力供給を再開させることとした。
【００１２】
子機の第２入力部への操作者による入力があった場合、省電力モードを解除して子機が再び表示を行う必要があるところ、本発明の表示システムでは、省電力モード中、親機から子機への映像信号の送信が停止するので、子機が親機から映像信号を受信する前に表示を再開した場合、子機で白一色の表示がなされる場合がある。このような白一色の表示は、操作者に故障、誤動作といった誤認や、システムの不安定感を与えかねないところ、この構成によれば、第２処理部は、親機から子機への映像信号の送信が再開されてから第２表示部への電力供給を再開させるので、省電力モードからの復帰時に子機で白一色の表示がなされることを防ぐことができる。
【００１３】
又、請求項３に係る発明は、請求項１又は２の発明において、前記親機と制御対象とに通信可能に接続され、前記制御対象を制御するためになされた前記第１入力部又は前記第２入力部への入力に基づき、前記制御対象の制御を行う制御装置を有し、前記親機は、前記子機に送信する前記映像信号と異なる形式の映像信号の供給を前記制御装置から受け、前記親機の第１表示部で表示を行うため、及び／又は、映像信号を前記子機に送信するために前記異なる形式の映像信号の形式を変換する１又は複数のデータ変換器を有し、前記親機の第１処理部は、前記親機及び前記子機がいずれも省電力モードである場合、前記データ変換器への電力供給を停止することとした。この構成によれば、親機は、省電力モード中、データ変換器も停止させるので、表示システムにおける無駄な電力の消費をより一層なくすことができる。
【００１４】
又、請求項４に係る表示入力装置は、他の表示入力装置と接続され、少なくとも、前記他の表示入力装置からの映像信号を受信するとともに、前記他の表示入力装置に向けて入力信号を送信する通信部と、液晶パネルとバックライトを含み、前記映像信号に基づく表示を行う表示部と、入力を受け付ける入力部と、前記他の表示入力装置からの映像信号がない状態では、前記表示部の液晶パネルとバックライトへの電力供給を停止する処理部を有することとした。
【００１５】
この構成は、上記の表示システムの子機を１つの発明として捉えたものであり、この構成によれば、請求項１記載の発明と同様、省電力モードでは、他の表示入力装置から映像信号を受信する表示入力装置の液晶パネルへの電力供給を停止して、液晶パネルの駆動を停止させるので、液晶パネルの負担が少なく、無駄な電力の消費もない、例えば、子機としての表示入力装置を提供することができる。
【００１６】
又、請求項５に係る発明は、請求項４の発明において、前記表示部への電力供給停止状態で前記入力部への入力があった場合、前記通信部は、前記他の表示入力装置に向けて、前記他の表示入力装置からの映像信号の送信再開を要求する要求信号を送信し、前記処理部は、前記他の表示入力装置からの映像信号の送信が再開されてから前記表示部への電力供給を再開させることとした。
【００１７】
この構成は、上記の表示システム５の子機２を１つの発明として捉えたものであり、この構成によれば、請求項２記載の発明と同様、処理部は他の表示入力装置からの映像信号の送信が再開されてから表示部への電力供給を再開させるので、省電力モードからの復帰時に白一色の表示がなされない表示入力装置を提供することができる。
【００１８】
又、上記表示システムにおいて、前記親機の第１処理部は、前記親機が前記省電力モードである場合、前記第１表示部の液晶パネルとバックライトへの電力供給を停止してもよい。この構成によれば、親機が省電力モードへの移行を判断する場合、省電力モードで液晶パネルへの電力供給が停止されるから、省電力モード中、親機の液晶パネルの駆動は停止され、親機の液晶パネルの負担を少なくすることができ、親機での無駄な電力の消費もなくすことができる。
【００１９】
又、上記表示システムにおいて、前記第１処理部は、前記第１入力部と前記第２入力部のいずれかの入力部に対し、直前になされた入力から所定時間が経過したことを計時し、所定時間が経過した際に、前記親機及び前記子機をともに、省電力モードに移行させると判断し、前記親機の前記第１入力部若しくは前記子機の前記第２入力部のうち、いずれかに入力があった際に、前記親機及び前記子機をともに省電力モードから復帰させると判断し、前記第１処理部の判断に基づき、省電力モードへの移行と復帰が同時に前記親機及び前記子機でなされるようにしてもよい。この構成によれば、親機と子機の省電力モードへの移行と、省電力モードからの復帰を同期させることができる。
【００２０】
又、上記表示システムにおいて、前記第１処理部は、前記第１入力部と前記第２入力部のそれぞれについて、直前になされた入力から所定時間が経過したことを計時し、所定時間が経過した際に、それぞれ前記親機及び前記子機を別個に省電力モードに移行に移行させると判断し、前記第１入力部に入力があれば前記親機だけを省電力モードから復帰させると判断し、前記第２入力部に入力があれば前記子機だけを省電力モードから復帰させると判断し、前第１処理部の判断に基づき、省電力モードへの移行と復帰が別個に前記親機及び前記子機でなされるようにしてもよい。この構成によれば、親機と子機は、独立して省電力モードに移行し、又、省電力モードから復帰するので、入力部に入力のない親機又は子機のいずれか一方を、省電力モードのままとすることができる。従って、使用しない表示入力装置は、省電力モードのままとされ、表示システム全体として高い省電力効果が得られる。
【００２１】
ここで、上記所定時間は、各入力部への入力がなくなってから省電力モード移行までの時間であり、例えば、３０秒〜数十分の範囲で適宜設定できる。又、所定時間は、親機又は子機の各入力部への入力により、操作者が自由に定めても良いし、製造者が出荷時の設定値として親機に記憶させておいても良い。
【００２２】
又、表示システムにおいて、前記親機に対し、複数の前記子機が通信可能に接続されることにより、及び／又は、前記子機に対し更に別の前記子機が通信可能に接続されることにより、複数の前記子機を備えるようにしてもよい。この構成によれば、複数の子機が接続される表示システムでも、親機や各子機の液晶パネルの負担が軽いので、液晶パネルの故障が少ないため耐久性が高く、低消費電力のために低ランニングコストの表示システムを提供することができる。
【発明の効果】
【００２３】
上述したように、本発明によれば、表示システムにおける親子接続された表示入力装置での液晶パネルへの負担を少なくして、メンテナンスの頻度の少なくし、製品の寿命を延ばすことができる。又、無駄な電力消費をなくすことができる。
【図面の簡単な説明】
【００２４】
【図１】第１の実施形態に係る表示システムの一例を示す図である。
【図２】第１の実施形態に係る表示システムのハードウェア構成の一例を示すブロック図である。
【図３】第１の実施形態に係る表示システムでの映像信号の流れの一例を示すブロック図である。
【図４】第１の実施形態に係るタッチパネル入力信号の流れの一例を示すブロック図である。
【図５】第１の実施形態に係る親機の表示モードでの制御の一例を示すフローチャートである。
【図６】第１の実施形態に係る親機の省電力モードでの制御の一例を示すフローチャートである。
【図７】第１の実施形態に係る子機での表示モードでの制御の一例を示すフローチャートである。
【図８】第１の実施形態に係る子機での省電力モードでの制御の一例を示すフローチャートである。
【図９】第２の実施形態に係る親機での子機のモードの認定制御の一例を示すフローチャートである。
【図１０】第２の実施形態に係る親機での表示モードでの制御の一例を示すフローチャートである。
【図１１】第２の実施形態に係る親機での省電力モードでの制御の一例を示すフローチャートである。
【発明を実施するための形態】
【００２５】
以下、本発明の第１の実施形態を、図１〜８を参照しつつ、本発明を説明する。但し、本実施の形態に記載されている構成、配置等の各要素は、発明の範囲を限定するものではなく単なる説明例にすぎない。
【００２６】
（表示システム５の概要）
まず、図１に基づき、本発明の第１の実施形態に係る表示システム５の概要説明を行う。図１は本発明の第１の実施形態に係る表示システム５の一例を示す図である。
【００２７】
まず、本実施形態の表示システム５には、図１に示すように、表示入力装置である親機１と、親機１と通信可能に接続され、親機１から映像信号を受け表示を行うとともに入力内容を親機１に送信する表示入力装置である子機２が含まれる。又、表示システム５には、制御装置３を含むことができる。制御装置３は、親機１と制御対象４とに通信可能に接続され、制御対象４を制御するためになされた、親機１のタッチパネル１２０（第１入力部１２）や子機２のタッチパネル２２０（第２入力部２２）への入力に基づき、制御対象４の制御を行う。
【００２８】
そのため、制御装置３には、表示システム５にて動作の制御を行おうとする制御対象４が接続される。このように、本実施形態の表示システム５では、制御装置３に対し親機１が通信可能に接続され、親機１に対し子機２が通信可能に接続され、子機２と制御装置３間の通信においては、親機１が中継を行う。
【００２９】
尚、図１では破線で示すように、親機１に対し複数の子機２を通信可能に接続することも可能であるし、子機２に対し子機２を更に通信可能に接続することも可能である。即ち、又、表示システム５において、親機１に対し、複数の子機２が通信可能に接続されることにより、及び／又は、子機２に対し更に別の子機２が通信可能に接続されることにより、複数の子機２を備えるようにして表示システム５が構成されても良い。複数の子機２を接続する場合でも、親機１と子機２の１対１の関係として捉えれば良く、以下の本実施形態の説明では、記載の複雑化を避けるため、親機１と子機２がそれぞれ１台である場合について述べる。
【００３０】
本システムにおける親機１と子機２は、制御対象４の動作を制御（操作）し、指示するための画像（操作用画像）を表示できる。又、制御装置３は、エラー発生や動作速度等、制御対象４の動作状況に関する情報を制御対象４から取得可能であり、親機１と子機２は、制御装置３から動作状況に関する情報を受信し、制御対象４の動作状態を示す画像（状況表示画像）等を表示できる。そして、詳細は後述するが、操作者は親機１、又は、子機２に表示された操作用画像に配されたキーやボタンを押下して指定するため、タッチパネル等により入力を行うことができる。例えば、子機２のタッチパネル２２０への入力により生ずるタッチパネル入力信号は、親機１を経て制御装置３に到達する。
【００３１】
そして、例えば、大型の医療機器（例えば、放射線による撮影装置や治療装置、ＭＲＩ、ＣＴスキャナ等）や、大型の製造装置（例えば、半導体製造装置や大型液晶パネル製造装置や各種プラント等、特に限定はない）を制御対象４の例として挙げることができる。上記のような大型の制御対象４は、放射線の被曝回避等の各種の理由で、操作者が操作を行う場所と、制御対象４の設置場所が異なる場合がある。例えば、制御装置３や親機１を操作者が通常、操作を行う場所（部屋）に設置し、大型の制御対象４の設置場所の近くに子機２を設置しておけば、操作者は子機２により制御対象４の動作を目視しながら制御の指示を与えることができる。
【００３２】
又、親機１、子機２を位置的に離しつつ、親機１と子機２を制御対象４の周辺に配すれば、複数人が同時に制御の指示を与えられる（尚、同時に制御の指示を与えることが禁止される場合、一方の操作中は他方を操作できないようにロックしてもよい）。又、制御対象４を動かし続けるうえで、制御対象４に複数の確認箇所がある場合、確認箇所の近くに親機１又は子機２を配しておけば、操作者はほとんど移動せずに制御の指示を与えることもできる。このように、顧客ごとの事情に応じ、制御対象４の制御を行うため、親機１と子機２を含む表示システム５を様々な態様で、設置することができる。
【００３３】
（表示システム５のハードウェア構成）
次に、図２に基づき、本発明の第１の実施形態に係る表示システム５のハードウェア構成の一例を説明する。図２は、本発明の第１の実施形態に係る表示システム５のハードウェア構成の一例を示すブロック図である。
【００３４】
まず、制御装置３の構成を説明する。制御装置３は、演算処理装置としての処理部３１、制御対象４の制御用プログラムや制御用データや、親機１及び子機２に表示させる操作用画像等の画像データを記憶する記憶部３２や、親機１と通信可能に接続するためのＩ／Ｆ部３３を有する。尚、詳細は後述するが、本実施形態では、親機１は、子機に送信する映像信号と異なる形式の操作用画像等の映像信号を、制御装置３からを受け、映像信号に応じた表示を行う。例えば、制御装置３には、産業用コンピュータのほか、パーソナルコンピュータを用いることができる。
【００３５】
次に、表示入力装置としての親機１の構成を説明する。親機１は、Ｉ／Ｆ部１０、表示部１１（第１表示部に相当）、入力部１２（第１入力部に相当）、記憶部１３、処理部１４（第１処理部に相当）、Ｉ／Ｆ部１５（第１通信部に相当）、電源部１６等を有する。
【００３６】
Ｉ／Ｆ部１０は、親機１と制御装置３を通信可能に接続するためのインターフェイスであり、複数の規格に対応するため、複数のコネクタ、ソケットや通信制御用のチップ等を有する（他のＩ／Ｆ部も同様）。これにより、親機１は制御装置３と各種のデータ、信号のやり取りを行うことができる。又、親機１、子機２で操作用画像等を表示させるための映像信号を制御装置３から受信することができる。
【００３７】
表示部１１は、液晶パネル１１０（第１表示部の一部に相当）、バックライト１１１（第１表示部の一部に相当）等を含み、制御対象４の操作用画像や状況表示画像等を表示する。液晶パネル１１０は、バックライト１１１と組み合わせて用いられ、後述の液晶コントローラ１４１からの制御信号に基づき動作し、操作用画像等の表示を行うためのものであり、カラーフィルタ等を含むことができる。バックライト１１１は、液晶パネル１１０の背面に接して設けられ、液晶パネル１１０を親機１の背面側から照らす。バックライト１１１に用いられる光源としては、例えば、冷陰極管を用いることができる。尚、光源には、アレイ状のＬＥＤなど、他の光源を用いることもでき、バックライト１１１として機能すればよい。
【００３８】
入力部１２は（第１入力部に相当）、タッチパネル１２０等で構成され、制御対象４や親機１の動作を指示、設定するため、操作者が親機１に対して行う入力等を受け付ける部分である。タッチパネル１２０は、親機１に対する入力を受け付け、操作者の入力用のもので、親機１の液晶パネルを利用して表示された操作用画像に配された各種キー、ボタンの操作者の押下による入力を受け付けるため、液晶パネル１１０の表面に設けられる。このタッチパネル１２０と後述のタッチパネルコントローラ１４３を経て、タッチパネルの出力電圧値が制御装置３にまで送られ、制御装置３で操作者の押下位置、座標が特定され、押下された各種キー、ボタン等が判別される。本実施形態の親機１のタッチパネル１２０は、透明抵抗膜方式のものであるが、例えば、表面弾性波方式、赤外線方式、電磁誘導方式、静電容量方式等、他の方式のタッチパネルを用いてもよい。尚、入力部１２としては、タッチパネル１２０のほか、数字や矢印等のキー（ボタン）（不図示）が筐体に設けられてもよい。
【００３９】
記憶部１３は、親機１での表示や制御に必要となる各種データや各種プログラムを記憶、展開する部分であり、データメモリ１３０、ワークメモリ１３１等で構成される。データメモリ１３０は、操作用画像等の画像データや、省電力モードへの移行用プログラムや、省電力モードからの復帰用プログラムなど、制御プログラムなどを不揮発的に格納しておけるメモリであり、書換、読出可能なＦＥＰＲＯＭ(Flash Erasable and Programmable ROM)等を用いることができる。ワークメモリ１３１は、例えば、ＤＲＡＭによって構成され、制御装置３から送信された映像信号に基づく画像データや各種プログラムの展開に用いられ、作業用の記憶領域として機能する。
【００４０】
処理部１４は、例えば、基板上に構成され、親機１の動作を制御する処理を行うとともに、親機１と子機２の省電力モードへの移行を判断する処理を行う。例えば、処理部１４は、ＣＰＵ１４０、液晶コントローラ１４１、バックライトコントローラ１４２、タッチパネルコントローラ１４３、タイマ１４４等を有する。ＣＰＵ１４０は、演算処理装置であって、親機１での表示等、親機１の制御を司り、データメモリ１３０、ワークメモリ１３１に記憶されるプログラム、データに基づき、プログラムの実行や各種演算を行う。そして、ＣＰＵ１４０は、処理部１４内の各部と接続され、制御信号を発する。尚、本実施形態では、ＣＰＵ１４０は、親機１の制御のみを担当し、制御装置３とＣＰＵ１４０間では、データのやり取りが行われない（言い換えると、制御装置３からＣＰＵ１４０は指示を受けず、ＣＰＵ１４０は独立して動作する）。
【００４１】
液晶コントローラ１４１は、液晶パネル１１０と接続され、映像信号に基づき液晶パネル１１０に表示を行わせるコントローラである。バックライトコントローラ１４２は、バックライト１１１と接続されバックライト１１１を点灯させるための回路を含むコントローラである。バックライト１１１に例えば、冷陰極管を用いる場合、冷陰極管の点灯用電圧を発生させるインバータがバックライトコントローラ１４２に含まれる。タッチパネルコントローラ１４３は、タッチパネル１２０と接続され、タッチパネル１２０の出力電圧（タッチパネル入力信号）をスキャンする。
【００４２】
そして、タッチパネル入力信号は、制御装置３に送られ、制御装置３の処理部３１は、親機１の液晶パネル１１０の押下位置の座標を特定し、特定された座標と、液晶パネル１１０に表示されたキーやボタンなどの配置を比較し、操作者の入力を認識する。指示内容により、操作用画像の切り替えが必要であれば、制御装置３は、新たな映像信号を親機１に送信し、その結果、親機１での操作用画像が切り替えられる。又、制御対象４の制御が指示されれば、制御装置３は、指示通りに制御対象４を制御する。
【００４３】
タイマ１４４は、例えば、親機１と子機２の省電力モードへの移行を判断する処理を行うため親機１と子機２が省電力モードに移行するまでの計時を行う等、時間のカウントを行う部分である。尚、ＣＰＵ１４０に計時機能があれば、タイマ１４４を設けなくても良い。タイマ１４４は、制御上、各種時間の計時が可能であるが、例えば、親機１と子機２の省電力モードへの移行を判断するうえで、親機１又は子機２に対する入力（各タッチパネルへの入力）がなくなってからの時間を計時する。そして、親機１又は子機２に対する入力がなくなってから所定時間（例えば、３０秒〜数十分）経過した段階で、処理部１４は、省電力モードに移行すると判断する（詳細は後述）。
【００４４】
Ｉ／Ｆ部１５は、子機２と通信可能に接続するためのインターフェイスである。このＩ／Ｆ部１５から、例えば、子機２に表示させる操作用画像等の映像信号が子機２に向けて送信される。又、子機２のタッチパネル２２０への入力内容を示すデータ（タッチパネル入力信号）を受信し、Ｉ／Ｆ部１０から制御装置３に向けて転送する。即ち、Ｉ／Ｆ部１５は、少なくとも、子機２に向けて映像信号を送信するとともに、子機２の入力信号を子機２から受信する。電源部１６は、例えば、商用電源に接続され、親機１内の各部、各部品用の電圧を生成し供給する。
【００４５】
次に、表示入力装置としての子機２の構成を説明する。子機２は、親機１とほぼ同様の構成で、Ｉ／Ｆ部２０（第２通信部に相当）、表示部２１（第２表示部に相当）、入力部２２（第２入力部に相当）、記憶部２３、処理部２４（第２処理部に相当）、Ｉ／Ｆ部２５、電源部２６等を有する。
【００４６】
Ｉ／Ｆ部２０は、親機１のＩ／Ｆ部１５とケーブル等で接続される。これにより、子機２は、映像信号を受けられる。そして、子機２は、親機１と同様の操作用画像等を表示できる。又、子機２のタッチパネル２２０への入力内容を示すタッチパネル入力信号を親機１に送信することもできる。即ち、Ｉ／Ｆ部２０は、Ｉ／Ｆ部１５と接続され、少なくとも、親機１から映像信号を受信するとともに、親機１に向けて入力信号を送信する。尚、子機２は、Ｉ／Ｆ部２５を有し、更に子機２を接続することもできる（孫機ともいえるが、ここでは子機２で統一する）。即ち、子機２は複数段連ねて接続可能である（図１参照）。
【００４７】
尚、子機２では、液晶パネル２１０（第２表示部の一部）、バックライト２１１（第２表示部の一部）を含ませて表示部２１（第２表示部に相当）を構成し、表示部２１が子機２に入力された映像信号に基づく表示を行う点や、入力部２２（第２入力部に相当）は、タッチタッチパネル２２０等で構成され、制御対象４や子機２の動作を指示、設定するため、操作者が子機２に対して行う入力等を受け付ける点は、親機１と同じである。従って、表示部２１（液晶パネル２１０、バックライト２１１）、入力部２２（タッチパネル２２０等）は、親機１の表示部１１（液晶パネル１１０、バックライト１１１）、入力部１２（タッチパネル１２０）と同様のものでよく、表示部２１と入力部２２については、親機１の表示部１１と入力部１２の説明を準用するものとして説明を省略する。
【００４８】
記憶部２３は、子機２での表示や制御に必要となる各種データや各種プログラムを記憶、展開する部分であり、データメモリ２３０、ワークメモリ２３１等で構成される。データメモリ２３０は、親機１のデータメモリ１３０と同様に、各種画像データ、プログラム等を不揮発的に格納するメモリである。ワークメモリ２３１は、親機１のワークメモリ１３１と同様、親機１から受信した映像信号に基づく画像データや、各種プログラムを展開する記憶領域である。尚、電源部２６は、親機の電源部１６と同様のものでよく、親機１での電源部１６の説明を準用するものとして説明を省略する。
【００４９】
又、処理部２４は、例えば、基板上に構成され、子機２の動作を制御する処理を行い、ＣＰＵ２４０、液晶コントローラ２４１、バックライトコントローラ２４２、タッチパネルコントローラ２４３等を有する。子機２の処理部２４は、親機の処理部１４とタイマ１４４の有無が異なるが処理部２４内の構成は、処理部１４と基本的に同様の構成である。
【００５０】
処理部２４は、親機１の処理部１４の説明を準用できるが、構成の説明を簡易に行っておく。まず、ＣＰＵ２４０は、子機２の制御を司り、データメモリ２３０、ワークメモリ２３１内のプログラム等に基づき、プログラム等を実行し、制御信号を発する。尚、本実施形態では、ＣＰＵ２４０は、子機２の制御のみを担当し、制御装置３とＣＰＵ２４０間では、データのやり取りが行われない（言い換えると、制御装置３からＣＰＵ２４０は指示を受けず、ＣＰＵ２４０は独立して動作する）。液晶コントローラ２４１は、映像信号に基づき液晶パネル２１０に表示を行わせるコントローラである。バックライトコントローラ２４２は、バックライト２１１を点灯させるための回路である。タッチパネルコントローラ２４３は、タッチパネル２２０と接続され、タッチパネル２２０の出力電圧（タッチパネル入力信号）をスキャンする。
【００５１】
そして、タッチパネル入力信号は、親機１を経て、制御装置３に送られ、制御装置３の処理部３１は、子機２の液晶パネル２１０への押下位置の座標を特定し、特定された座標と、液晶パネル２１０に表示されたキーやボタンなどの配置を比較し、操作者の指示を認識する。指示内容により、操作用画像の切り替えが必要であれば、制御装置３は、新たな映像信号を親機１に送信し、親機１を経て、映像信号が子機２で受信され、その結果、子機２での操作用画像が切り替えられる。又、制御対象４の制御が指示されれば、制御装置３は、指示通りに制御対象４を制御する。
【００５２】
（映像信号の流れ）
次に、図３に基づき、本発明の第１の実施形態に係る表示システム５での映像信号の流れを説明する。図３は、本発明の第１の実施形態に係る表示システム５での映像信号の流れの一例を示すブロック図である。
【００５３】
図３に示すように、本実施形態の表示システム５では、親機１から子機２に映像信号が供給される。親機１から子機２に供給する映像信号は、親機１が、例えば、制御装置３からＩ／Ｆ部１０で受け取った映像信号に基づいたものでも良いし、親機１のデータメモリ１３０やワークメモリ１３１に記憶される映像信号でもよい。
【００５４】
制御装置３から受け取った映像信号の処理の流れを説明すると、親機１のＩ／Ｆ部１０は、制御装置３から操作用画像等を表示するための映像信号を受信する。制御装置３からＩ／Ｆ部１０への映像信号の送信方式は、シリアル方式でも良いしパラレル方式でも良い。又、アナログ信号でも良いし、ディジタル信号でも良い。
【００５５】
もし、Ｉ／Ｆ部１０が制御装置３から受け取った映像信号がアナログ信号（例えば、アナログＲＧＢ信号）であれば、アナログの映像信号は、Ｉ／Ｆ部１０からＡ／Ｄ変換器１４５にわたされる。Ａ／Ｄ変換器１４５は、例えば、Ｒ、Ｇ、Ｂの各色についてサンプリングと量子化を行い映像信号をディジタル値に変換する。従って、Ａ／Ｄ変換器１４５もデータ変換器の一種といえる。一方、制御装置３からＩ／Ｆ部１０にディジタルの映像信号を送信してもよく、ディジタルの映像信号（例えば、ＴＭＤＳ（Transition Minimized Differential Signaling）等）であれば、Ａ／Ｄ変換は不要なのでデータ変換器１４６にそのままわたせばよい。
【００５６】
データ変換器１４６は、制御装置３から親機１に送信された映像信号に基づき、液晶パネルを駆動できるように、Ａ／Ｄ変換後のディジタル信号（例えば、ＬＶＤＳ（Low voltage differential signaling））やＩ／Ｆ部１０で受信されたディジタル信号の変換を行う。例えば、ディジタル信号がシリアル方式のものであれば、パラレル方式に変換する。そして、液晶コントローラ１４１は、パラレル方式に変換された映像信号に基づき液晶パネル１１０を駆動させる。又、例えば、Ａ／Ｄ変換後やＩ／Ｆ部１０から送信された信号がパラレル方式であれば、データ変換器１４６は、信号の波形の整形等を行っても良い。
【００５７】
そして、データ変換器１４６の後段に位置するデータ変換器１４７は、データ変換器１４６からデータを受け取り、子機２への映像信号の伝送に適した形式に映像信号の変換を行う。通常、親機１と子機２は、位置的に離されて設置されるので、本実施形態では長距離の信号伝送に適したディジタルでシリアル差動形式の映像信号（例えば、ＴＭＤＳ）を親機１から子機２に送信するものとして説明する。尚、ノイズや信号遅延や伝送距離に問題がなければ、親機１から子機２にパラレル形式やアナログの映像信号（例えば、アナログＲＧＢ）を送信してもよい。このように、親機１は、子機２に送信する映像信号と異なる形式の映像信号の供給を制御装置３から受け、親機１の液晶パネル１１０等で表示を行うため、及び／又は、子機２に送信するために異なる形式の映像信号の形式を変換するデータ変換器１４６、１４７等を有する。
【００５８】
データ変換器１４７により変換された映像信号は、親機１のＩ／Ｆ部１５から送信され、子機２のＩ／Ｆ部２０で受信される。そして、受信された映像信号に基づいて子機２の液晶パネル２１０を駆動させるため、子機２内にもデータ変換器２４４が設けられる。ここで、上述したように、親機１と子機２の構成は同様であるので、データ変換器２４４は、親機１から受信した、例えば、ディジタルでシリアル差動形式の映像信号をパラレル方式に変換し、液晶コントローラ２４１に与える。
【００５９】
尚、液晶コントローラ１４１、Ａ／Ｄ変換器１４５、データ変換器１４６、データ変換器１４７等は、親機１のＣＰＵ１４０と、制御のため接続される。そして、例えば、ＣＰＵ１４０は、省電力のため、液晶コントローラ１４１やＡ／Ｄ変換器１４５やデータ変換器１４６、データ変換器１４７に、映像信号に対する処理を行わない省電力モードへの移行を指示できる。あるいは、ＣＰＵ１４０は、液晶コントローラ１４１やＡ／Ｄ変換器１４５やデータ変換器１４６、データ変換器１４７への電力供給をＯＦＦして、映像信号への処理が行われないようにしてもよい。又、ＣＰＵ１４０は、液晶コントローラ１４１に指示を与えることや、液晶パネル１１０への電力供給用スイッチ（不図示）をＯＦＦすることにより、液晶パネル１１０への電力供給を停止させることができる。
【００６０】
又、液晶コントローラ２４１等は、子機２のＣＰＵ２４０と、制御のため信号線等で接続される。そして、例えば、ＣＰＵ２４０は、省電力のため、液晶コントローラ２４１等に映像信号に対する処理を行わない省電力モードへの移行を指示できる。あるいは、ＣＰＵ２４０は、液晶コントローラ２４１等への電力供給ＯＦＦにより、映像信号への処理が行われないようにしてもよい。又、ＣＰＵ２４０は、液晶コントローラ２４１に指示を与えることや、液晶パネル２１０への電力供給用スイッチ（不図示）をＯＦＦすることにより、液晶パネル２１０への電力供給を停止させることができる。更に、子機２のＣＰＵ２４０は、データ変換器２４４、液晶コントローラ２４１と通信可能に接続されるので、Ｉ／Ｆ部１５、Ｉ／Ｆ部２０を経て、データ変換器２４４が受け取る映像信号の有無を確認できる。言い換えると、処理部２４は、親機１から子機２に映像信号が送信されているかを確認できる。
【００６１】
（タッチパネル入力信号の流れ）
次に、図４に基づき、本発明の第１の実施形態に係る表示システム５でのタッチパネル入力信号の流れを説明する。図４は、本発明の第１の実施形態に係るタッチパネル入力信号の流れの一例を示すブロック図である。
【００６２】
まず、タッチパネル入力信号とは、操作者が親機１のタッチパネル１２０や子機２のタッチパネル２２０を押下することにより生じた信号である。各タッチパネルコントローラは、接続されたタッチパネルの出力電圧をスキャン（監視）しており、タッチパネルの押下を検出し、タッチパネルの出力電圧を把握する。そして、図４に示すように、本実施形態の表示システム５では、親機１で生じたタッチパネル入力信号は、親機１から制御装置３に送信される。又、子機２で生じたタッチパネル入力信号は、子機２から親機１へ送信され、親機１を経由した後、親機１から制御装置３に送信される。
【００６３】
具体的には、子機２から発せられたタッチパネル入力信号は、Ｉ／Ｆ部２０→Ｉ／Ｆ部１５→Ｉ／Ｆ部１０と親機１を経由して子機２から制御装置３へ送られる。親機１から発せられたタッチパネル入力信号は、Ｉ／Ｆ部１０から制御装置３へと送られる。
【００６４】
子機２でのタッチパネル押下時の動作の一例を説明すると、子機２で操作者がタッチパネル２２０に入力を行うと、タッチパネルコントローラ２４３がタッチパネル２２０の出力電圧値を把握し、タッチパネルの出力電圧を示すデータ（タッチパネル入力信号）が、タッチパネルコントローラ２４３からデータ変換器２４５にわたされる。データ変換器２４５は、タッチパネル入力信号の形式を変更する。例えば、データ変換器２４５は、長距離伝送に対応し、シリアル差動形式の信号（例えば、ＲＳ−４８５）に、タッチパネル入力信号を変換する。尚、この時、タッチパネル入力信号には、子機２になされた入力であることを示す符号が付加されてもよい。
【００６５】
そして、子機２からのタッチパネル入力信号は、例えば、親機１内のデータ変換器１４８に入力される。データ変換器１４８は制御装置３のＩ／Ｆ部３３と親機１のＩ／Ｆ部１０間の通信方式（例えば、ＲＳ−２３２Ｃ）に合わせて、子機２からのタッチパネル入力信号の変換を行う。タッチパネル入力信号伝送において、制御装置３−親機１間と親機１−子機２間の通信方式が同じであれば、データ変換器１４８は、変換を行う必要はなく中継のみ行えばよい。
【００６６】
一方、親機１でのタッチパネル押下時の動作の一例を説明すると、親機１で操作者がタッチパネル１２０に入力を行うと、タッチパネルコントローラ１４３がタッチパネル１２０の出力電圧値を把握し、タッチパネルの出力電圧を示すデータ（タッチパネル入力信号）が、タッチパネルコントローラ１４３からデータ変換器１４８に送られる。データ変換器１４８は、制御装置３−親機１間の通信方式に合わせ、タッチパネル入力信号の形式を変更する。尚、この時、タッチパネル入力信号には、親機１になされた入力であることを示す符号が付加されてもよい。
【００６７】
尚、タッチパネル入力信号の伝送における親機１−子機２間、親機１−制御装置３間の通信規格は、上記のものに限られず、シリアル形式でもパラレル形式でも良く、又、アナログ信号でもディジタル信号でも良く、正確にタッチパネル入力信号の伝送を行うことができればよい。このように、タッチパネル入力信号は、子機２、親機１から制御装置３に送信され、タッチパネル入力信号に基づき、制御装置３は制御対象４を制御する。
【００６８】
更に、親機１のタッチパネル１２０への入力に伴い、親機１の操作用画像や状況表示画像の切り替えを行う必要があれば、制御装置３は、操作用画像等の映像信号を親機１に向けて送信する。これにより、親機１の表示が切り替えられる。尚、親機１は、子機２に同じ操作用画像等を表示させるため、映像信号を子機２に送信（転送）しても良い。これにより、親機１と子機２で同じ画面を表示させることができる。
【００６９】
又、子機２のタッチパネル２２０への入力に伴い、子機２の操作用画像や状況表示画像の切り替えを行う必要があれば、制御装置３は、操作用画像の映像信号を親機１に向け、これを親機１は子機２に転送することができる。これにより、子機２の表示が切り替えられる。尚、親機１は、子機２に向けて制御装置３から送信された映像信号に基づき、表示を行って、親機１と子機２で同じ画面を表示させてもよい。一方で、親機１は、子機２向けの映像信号であれば、子機２向けの映像信号に基づき表示を行わないようにしても良い。この場合、親機１と子機２で別々の操作用画像や状況表示画像が表示される。
【００７０】
ここで、親機１のＣＰＵ１４０は、データ変換器１４８と信号線等で接続される。これにより、処理部１４は、子機２で生じたタッチパネル入力信号が親機１に送信されたことや親機１のタッチパネル１２０への入力がなされたことを確認できる。又、親機１の処理部１４は、タッチパネルコントローラ１４３等と制御のため接続される。これによっても処理部１４は、タッチパネル１２０への入力があったか等を確認できる。又、子機２のＣＰＵ２４０は、タッチパネルコントローラ２４３やデータ変換器２４５等と信号線等で接続される。これにより、処理部２４は、タッチパネル２２０への入力があったかを確認できる。
【００７１】
（親機１の表示モードと省電力モード）
次に、図５及び図６に基づき、本発明の第１の実施形態に係る親機１の表示モードと省電力モードの遷移制御の一例を説明する。図５は、本発明の第１の実施形態に係る親機１の表示モードでの制御の一例を示すフローチャートである。図６は、本発明の第１の実施形態に係る親機１の省電力モードでの制御の一例を示すフローチャートである。
【００７２】
尚、本実施形態では、親機１と子機２で表示モードと省電力モードの切り替えがほぼ同時に行われる例を説明する。即ち、表示システム５において、処理部１４は、入力部１２と入力部２２のいずれかの入力部に対し、直前になされた入力から所定時間が経過したことを計時し、所定時間が経過した際に、親機１及び子機２をともに、省電力モードに移行させると判断し、親機１の入力部１２若しくは子機２の入力部２２のうち、いずれかに入力があった際に、親機１及び子機２をともに省電力モードから復帰させると判断し、処理部１４の判断に基づき、省電力モードへの移行と復帰が同時に親機１及び子機２でなされる例の説明を行う。又、制御装置３は、親機１、子機２のモードを問わず、映像信号の親機１への送信を継続し、表示モードでは、親機１は、制御装置３から映像信号の供給を受け、子機２は親機１から映像信号の供給を受け表示を行うことを前提として説明を行う。
【００７３】
まず、本実施形態の表示システム５における親機１と子機２は、それぞれ、制御対象４の操作用画像や状況表示画像等の表示を行う表示モードを有する。そして、親機１のタッチパネル１２０と子機２のタッチパネル２２０のいずれに対しても操作者の入力が無くなってから所定時間を経過した際、親機１と子機２は、省電力モードに移行する。
【００７４】
〈表示モード〉
そこで、まず、親機１の表示モードでの制御を図５に基づき説明する。図５に示すように、親機１の電源投入時や省電力モードからの復帰時、親機１の処理部１４（ＣＰＵ１４０）は、液晶パネル１１０への電力供給を再開させる（ステップ♯１、図３参照）。次に、処理部１４は、Ａ／Ｄ変換器１４５、データ変換器１４６、液晶コントローラ１４１を省電力モードや電源ＯＦＦ状態から復帰させ、液晶コントローラ１４１への映像信号の供給を開始させる（ステップ♯２）。その後、処理部１４は、バックライトコントローラ１４２を制御して、バックライト１１１を点灯させる（ステップ♯３）。映像信号に基づく液晶パネル１１０の駆動が再開されてからバックライト１１１を点灯させるので、親機１の表示が白一色の状態にならない。
【００７５】
次に、親機１の処理部１４（ＣＰＵ１４０）は、データ変換器１４７を省電力モードや電源ＯＦＦ状態から復帰させ、子機２への映像信号が送信を行われる（ステップ♯４）。次に、処理部１４は、タッチパネル１２０の出力電圧をタッチパネルコントローラ２４３にスキャンさせ（ステップ♯５）、又、データ変換器１４８に送られてくる子機２からのタッチパネル入力信号の有無を確認して（ステップ♯６）、子機２のタッチパネル２２０に入力があったか否かを確認する。以上の確認のもと、処理部１４は、親機１のタッチパネル１２０と子機２のタッチパネル２２０のいずれかに対し、入力があったか否かを確認する（ステップ♯７）。
【００７６】
もし、処理部１４は、入力があれば（ステップ♯７のＹｅｓ）、処理部１４は、省電力モード移行までのタイマ１４４による計時をリセットさせる（ステップ♯８）。一方、入力がなければ（ステップ♯７のＮｏ）、計時はリセットされずステップ♯９に移行する。そして、ステップ♯９では、処理部１４は、タイマ１４４による計時時間が所定時間に到ったか、言い換えると、タイマ１４４が、省電力モードに移行するまでの所定時間のカウントダウンを開始して、各タッチパネルへの入力がないまま、タイムアップとなったかを処理部１４は、確認する（ステップ♯９）。もし、タイムアップであれば（ステップ♯９のＹｅｓ）、親機１は省電力モードに移行する。一方、タイムアップでなければ（ステップ♯９のＮｏ）、例えば、ステップ♯４に戻る。
【００７７】
〈省電力モード〉
次に、図６に基づき、親機１の省電力モードを説明する。図６に示すように、親機１が省電力モードに移行した際、処理部１４は、まず、バックライトコントローラ１４２を停止させる等により、バックライト１１１をＯＦＦする（ステップ♯１１）。次に、処理部１４は、液晶コントローラ１４１やＡ／Ｄ変換器１４５やデータ変換器１４６に省電力モードへの移行の指示や電力供給遮断により停止させて、液晶コントローラ１４１への映像信号の供給を停止する（ステップ♯１２）。又、処理部１４は、液晶パネル１１０への電力供給を停止させる（ステップ♯１３）。即ち、親機１の処理部１４は、親機１が省電力モードである場合、バックライト１１１や液晶パネル１１０への電力供給を停止する。
【００７８】
更に、処理部１４は、例えば、データ変換器１４７に対しての省電力モードへの移行指示や電力供給を遮断により停止させることや、親機１のデータメモリ１３０やワークメモリ１３１内の映像信号の送信を停止し、子機２への映像信号の送信を停止させる（ステップ♯１４）。このように、親機１の処理部１４は、親機１及び子機２がいずれも省電力モードである場合、データ変換器１４６、１４７等への電力供給を停止する。
【００７９】
更に、処理部１４は、省電力モードでも、タッチパネル１２０の出力電圧をタッチパネルコントローラ１４３等にスキャンさせ（ステップ♯１５）、タッチパネル１２０への入力の有無を確認する（ステップ♯１６）。もし、入力が無ければ（ステップ♯１６のＮｏ）、処理部１４は、子機２からの要求信号があったかを確認する（ステップ♯１７）。要求信号の詳細は後述するが、要求信号は、省電力モードで子機２のタッチパネル２２０に入力があった場合、子機２から親機１に向けて映像信号の子機２への送信の再開を要求する信号である。もし、要求信号が子機２から無ければ（ステップ♯１８のＮｏ）、ステップ♯１５に戻る。一方、親機１のタッチパネル１２０に対し入力があった場合（ステップ♯１６のＹｅｓ）、及び、子機２からの要求信号があった場合（ステップ♯１８のＹｅｓ）、処理部１４は、タイマ１４４に計時のリセットを行わせ（ステップ♯１９）、表示モードに移行する。
【００８０】
（子機２の表示モードと省電力モード）
次に、図７及び図８に基づき、本発明の第１の実施形態に係る子機２の表示モードと省電力モードの遷移制御の一例を説明する。図７は、本発明の第１の実施形態に係る子機２での表示モードでの制御の一例を示すフローチャートである。図８は、本発明の第１の実施形態に係る子機２での省電力モードでの制御の一例を示すフローチャートである。
【００８１】
〈表示モード〉
まず、子機２の表示モードでの制御を図７に基づき説明する。図７に示すように、子機２の電源投入時や省電力モードからの復帰時、子機２の処理部２４（ＣＰＵ２４０）は、Ｉ／Ｆ部２０を介してデータ変換器２４４が受信する親機１からの映像信号の有無をデータ変換器２４４や液晶コントローラ２４１との通信によりスキャンし（ステップ♯２１）、親機１から子機２への映像信号の送信があるかを確認する（ステップ♯２２）。ここで、本実施形態の子機２では、親機１からの映像信号が無いことが確認された時点で（ステップ♯２２のＮｏ）、表示モードから省電力モードに移行する。これは、親機１が省電力モードになった場合、親機１は子機２への映像信号の送信を停止させることに対応する（図６のステップ♯１４に対応）。言い換えると、親機１からの映像信号の送信が無くなったことをトリガとして子機２は省電力モードに移行する。
【００８２】
親機１からの映像信号の送信が確認できれば（ステップ♯２２のＹｅｓ）、処理部２４は、子機２のバックライト２１１が点灯しているか確認する（ステップ♯２３）。もし、バックライト２１１が消灯していれば（ステップ♯２３のＮｏ）、子機２は無表示状態なので、液晶パネル２１０への電力供給を再開させる（ステップ♯２８、図３参照）。更に、処理部２４は、バックライトコントローラ２４２を制御して、バックライト２１１を点灯させる（ステップ♯２９）。その後、例えば、ステップ♯２１に戻る。
【００８３】
一方、バックライト２１１が点灯していれば（ステップ♯２３のＹｅｓ）、その結果、子機２の表示部２１で、親機１からの映像信号に基づく操作用画像等の表示が行われていることになる（ステップ♯２４）。そして、処理部２４は、タッチパネル２２０の出力電圧をタッチパネルコントローラ２４３等にスキャンさせ（ステップ♯２５）、子機２のタッチパネル２２０に対し、入力があったか否かを確認する（ステップ♯２６）。そして、タッチパネル２２０への入力があった場合（ステップ♯２６のＹｅｓ）、タッチパネルコントローラ２４３やＩ／Ｆ部２０を利用し、子機２から親機１に向け、タッチパネル入力信号を送信した後（ステップ♯２７）、例えば、ステップ♯２１に戻る。又、タッチパネル２２０への入力がない場合も（ステップ♯２７のＮｏ）、例えば、ステップ♯２１に戻る。
【００８４】
〈省電力モード〉
次に、図８に基づき、子機２の省電力モードを説明する。図８に示すように、子機２が省電力モードに移行した際、子機２の処理部２４は、まず、バックライトコントローラ２４２を停止させる等により、バックライト２１１をＯＦＦし、電力供給を停止する（ステップ♯３１）。次に、処理部２４は、液晶パネル２１０への電力供給を停止させる（ステップ♯３２）。即ち、子機２が省電力モードに移行する場合、親機１は、子機２への映像信号の送信を停止し、処理部２４は、親機１からの映像信号がなくなった際、表示部２１の液晶パネル２１０及びバックライト２１１への電力供給を停止する。尚、子機２は後述するように、親機１の映像信号の送信再開により表示モードに移行するので、親機１と異なり、処理部２４はデータ変換器２４４等を停止させない。
【００８５】
次に、処理部２４（ＣＰＵ２４０）は、Ｉ／Ｆ部２０を介してデータ変換器２４４が受信する親機１からの映像信号の有無をデータ変換器２４４や液晶コントローラ２４１との通信によりスキャンし（ステップ♯３３）、親機１から子機２への映像信号の送信があるかを確認する（ステップ♯３４）。もし、親機１からの映像信号の送信があれば（ステップ♯３４のＹｅｓ）、処理部２４は子機２を表示モードに移行させる。言い換えると、省電力モードでは、子機２は、親機１からの映像信号の送信再開をトリガとして表示モードに復帰する。
【００８６】
一方、親機１からの映像信号の送信がなければ（ステップ♯３４のＮｏ）、処理部２４は、省電力モードでも、タッチパネル２２０の出力電圧をタッチパネルコントローラ２４３等にスキャンさせ（ステップ♯３５）、子機２のタッチパネル２２０に対し、入力があったか否かを確認する（ステップ♯３６）。もし、入力が無ければ（ステップ♯３６のＮｏ）、例えば、ステップ♯３３に戻る。一方、入力があれば、子機２のＩ／Ｆ部２０からから親機１に、要求信号が送信される（ステップ♯３７）。そして、要求信号を親機１は受信することにより、省電力モードが解除され（図６、ステップ♯１８等参照）、子機２に向けて映像信号の送信が再開される。即ち、表示部２１（バックライト２１１、液晶パネル２１０）への電力供給停止状態で入力部２２（タッチパネル２２０）への入力があった場合、子機２は、親機１に向けて映像信号の送信再開を要求する要求信号をＩ／Ｆ部２０からＩ／Ｆ部１５へ送信し、処理部２４は、映像信号の送信が再開されてから表示部２１への電力供給が再開される。
【００８７】
ここで、要求信号は、子機２のタッチパネル２２０のタッチパネル入力信号でも良いし、例えば、ＣＰＵ２４０から発せられ、データ変換器２４５、Ｉ／Ｆ部２０を経て親機に伝えられる予め定められたデータでも良く、子機２のタッチパネル２２０に入力がなされたために、省電力モードを解除すべきことを親機１に伝達できればよい。
【００８８】
このように、本実施形態の表示システム５では、親機１と子機２のいずれかのタッチパネルに入力があった場合、省電力モードに移行するまでのタイマ１４４の計時がリセットされる（図５のステップ♯８参照）。又、親機１は省電力モードでは子機２への映像信号の送信を停止し、子機２は親機１からの映像信号が無くなった時点で省電力モードに移行する（図７のステップ♯２２参照）。親機１は、親機１のタッチパネル１２０への入力や、子機２からの要求信号により省電力モードから表示モードに復帰し（図６のステップ♯１８参照）、映像信号の子機２への送信を再開する（図５のステップ♯４参照）。子機２は、親機１からの映像信号の送信を確認してから省電力モードから復帰する（図８のステップ♯３４参照）。従って、子機２と親機１は、ほぼ同時に省電力モードに移行し、ほぼ同時に省電力モードから復帰する。
【００８９】
このようにして、本実施形態の表示システム５によれば、親機１に設けられ、例えば、タイマ等を有する処理部１４による判断のもと、子機２が省電力モード移行する場合、親機１は、子機２への映像信号の送信を停止するので、親機１における映像信号送信のための無駄な電力の消費をなくすことができる。従って、表示システム５での消費電力を減らすことができる。又、省電力モードでは、子機２では親機１からの映像信号の送信がなくなったことをトリガとして、子機２の液晶パネル２１０への電力供給を停止して、子機２の液晶パネルの駆動を停止させるので、子機２の液晶パネルの負担を少なくし、子機２の液晶パネルにおける無駄な電力の消費もなくすことができる。
【００９０】
そして、従来は、省電力モード時でも、親機１から子機２への映像信号が送信され続け、子機２の液晶パネルへの電力供給を続けていたので、省電力モードからの復帰時にいきなり子機２のバックライト２１１を点灯させても、例えば、子機２では操作用画像等の何らかの表示がなされ、白一色の表示がなされることはなかった。ここで、本実施形態の子機２では、より一層の省電力のため、省電力モードでは、親機１から子機２への映像信号の送信を停止するので、従来のように、タッチパネル２２０への入力があった際に、直ちにバックライト２１１を点灯させると、映像信号が親機１から到着していないと、子機２で白一色の表示がなされ得る。白一色の表示は、子機２の故障発生、誤動作等の誤解を招くなど、好ましくない。しかし、本実施形態の子機２では、処理部２４（第２処理部）は、親機１から子機２への映像信号の送信が再開されてからバックライト２１１、液晶パネル２１０（第２表示部）への電力供給を再開させるので、省電力モードからの復帰時に子機２で白一色の表示がなされることを防ぐことができる。又、親機１は、省電力モード中、Ａ／Ｄ変換器１４５やデータ変換器１４６等も停止させるので、表示システム５における無駄な電力の消費をより一層なくすことができる。
【００９１】
又、上記の表示システム５における子機２を１つの発明として捉えることもでき、本実施形態の子機２を、他の表示入力装置と接続され、少なくとも、他の表示入力装置からの映像信号を受信するとともに、他の表示入力装置に向けて入力信号を送信するＩ／Ｆ部２０と、液晶パネル２１０とバックライト２１１を含み、映像信号に基づく表示を行う表示部２１と、入力を受け付ける入力部２２と、他の表示入力装置からの映像信号がない状態では、表示部の液晶パネル２１０とバックライト２１１への電力供給を停止する処理部２４を有する表示入力装置として捉えれば、省電力モードでは、液晶パネルへの電力供給を停止して、液晶パネルの駆動を停止させるので、液晶パネルの負担が少なく、無駄な電力の消費もない子機２として用いることができる表示入力装置を提供することができる。
【００９２】
又、本実施形態の子機２を、表示部２１への電力供給停止状態で入力部２２への入力があった場合、Ｉ／Ｆ部２０は、他の表示入力装置に向けて、他の表示入力装置からの映像信号の送信再開を要求する要求信号を送信し、処理部２４は、他の表示入力装置からの映像信号の送信が再開されてから表示部への電力供給を再開させる表示入力装置ととらえれば、処理部は、他の表示入力装置からの映像信号の送信が再開されてから表示部２１への電力供給を再開させるので、省電力モードからの復帰時に白一色の表示がなされない子機２としての表示入力装置を提供することができる。
【００９３】
又、親機１が省電力モードへの移行を判断する場合、親機１でも省電力モードでの液晶パネルへの電力供給が停止されるから、省電力モード中、親機１の液晶パネルの駆動は停止され、親機１の液晶パネルの負担を少なくすることができる。更に、親機１での無駄な電力の消費もなくすことができる。又、親機１と子機２は、ほぼ同時にモードが切り替わるので、親機１と子機２の省電力モードへの移行と、省電力モードからの復帰を同期させることができる。又、図１を用いて説明したように、本実施形態の表示システム５には、複数の子機２が接続できるところ、本実施形態の表示システム５では、親機１や各子機２の液晶パネルの負担が軽いので、液晶パネルの故障が少ないため耐久性が高く、低消費電力のために低ランニングコストの表示システム５を提供することができる。
【００９４】
（第２の実施形態の親機１の表示モードと省電力モード）
次に、図９〜図１１に基づき、本発明の第２の実施形態に係る親機１の表示モードと省電力モードの遷移制御の一例を説明する。図９は、本発明の第２の実施形態に係る親機１による子機２のモードの認定制御の一例を示すフローチャートである。図１０は、本発明の第２の実施形態に係る親機１での表示モードでの制御の一例を示すフローチャートである。図１１は、本発明の第２の実施形態に係る親機１での省電力モードでの制御の一例を示すフローチャートである。
【００９５】
尚、本実施形態では、親機１と子機２のそれぞれのタッチパネルへの入力が無くなってから所定時間の経過を確認しつつ、親機１と子機２とがそれぞれ独立して表示モードと省電力モードの切り替えが行われるように、親機１が制御する場合を説明する。即ち、本実施形態記の表示システム５では、処理部１４は、入力部１２と入力部２２のそれぞれについて、直前になされた入力から所定時間が経過したことを計時し、所定時間が経過した際に、それぞれ親機１及び子機２を別個に省電力モードに移行に移行させると判断し、入力部１２に入力があれば親機１だけを省電力モードから復帰させると判断し、入力部２２に入力があれば子機２だけを省電力モードから復帰させると判断し、処理部１４の判断に基づき、省電力モードへの移行と復帰が別個に親機１及び子機２でなされる。
【００９６】
ここで、第２の実施形態は、第１の実施形態と親機１でのモード切り替えの制御が異なるが、子機２のモード切り替えは、親機１からの映像信号をトリガとして切り替られればよく、第１の実施形態と同様でよいので、子機２の各モードでの動作は、図７及び図８を準用するものとして説明を省略する。又、親機１、子機２や制御装置３などの各構成自体は、第１の実施形態同様のものでよく、本実施形態の説明では、第１の実施形態と共通する部分は、図示、説明を省略し、同じ符号を付す。
【００９７】
（親機１による子機２のモードの認定）
上述したように、本実施形態の表示システム５では、親機１と子機２で表示モードと省電力モード切り替えが別々に行われるが、子機２のモード切り替えは、子機２への映像信号の送信の有無により、親機１が制御する。そこで、まず、図９に基づき、第２の実施形態における親機１が子機２のモードを認定する制御の一例を説明する。
【００９８】
まず、図９に示すスタートは、例えば、表示システム５の電源投入時（親機１及び子機２への電力供給開始時）である。次に、親機１の処理部１４（ＣＰＵ１４０）は、又、データ変換器１４８に送られてくる子機２からのタッチパネル入力信号の有無をスキャン（確認）し（ステップ♯４１）、子機２から親機１へのタッチパネル入力信号の有無を確認する（ステップ♯４２）。尚、ステップ♯４１〜♯４２は、第１の実施形態でのステップ♯６〜７と同様の処理である（図５参照）。
【００９９】
もし、タッチパネル入力信号が親機１に到達し、タッチパネル入力信号が子機２からあれば（ステップ♯４２のＹｅｓ）、処理部１４は、子機２の省電力モード移行までのタイマ１４４による計時をリセットさせる（ステップ♯４３）。第１の実施形態では、省電力モード移行までカウントする時間は親機１と子機２で共通であったが、本実施形態では、タイマ１４４は、子機２は子機２について、タッチパネル２２０に入力されなくなってからの時間を計時する。そして、処理部１４は、子機２が表示モードであると認定する（ステップ♯４４）。尚、ステップ♯４４の後、例えば、ステップ♯４１に戻る。
【０１００】
一方、タッチパネル入力信号が子機２から来なければ（ステップ♯４２のＮｏ）、処理部１４は、子機２からの要求信号があったかを確認する（ステップ♯４５）。尚、要求信号は、第１の実施形態と同じでよいが、子機２へのタッチパネル入力信号を要求信号として用いるのであれば、ステップ♯４５とステップ♯４６は無くても良い。もし、要求信号が子機２からあれば（ステップ♯４６のＹｅｓ）、ステップ♯４３に移行する。尚、ステップ♯４５〜♯４６は、第１の実施形態でのステップ♯１７〜１８と同様の処理である（図６参照）。
【０１０１】
そして、要求信号が子機２からなければ（ステップ♯４６のＮｏ）、処理部１４は、子機２のタッチパネル２２０への直前の入力から所定時間が経過して、タイムアップとなったかを確認する（ステップ♯４７）。もし、子機２がタイムアップとなっていなければ（ステップ♯４７のＮｏ）、ステップ♯４４に移行する。一方、子機２がタイムアップとなっていれば（ステップ♯４７のＹｅｓ）、処理部１４は、子機２が省電力モードであると認定する（ステップ♯４８）。尚、ステップ♯４７の確認を行う際、既に子機２が省電力モードであると認定されていれば、処理部１４は、タイマ１４４を確認することなく、子機２は省電力モードと認定してしまえばよい。又、ステップ♯４８の後、例えば、ステップ♯４１に戻る。
【０１０２】
このように、親機１の処理部１４は、子機２が表示モードであるか、省電力モードであるかの認定を継続して行う。言い換えると、子機２のモードの認定を継続的に行う。
【０１０３】
〈表示モード〉
次に、第２の実施形態での親機１の表示モードでの制御を図１０に基づき説明する。図１０に示すように、親機１の電源投入時や省電力モードからの復帰時等、表示モードが開始されると、親機１の処理部１４は、液晶パネル１１０への電力供給を再開する（ステップ♯５１）。
【０１０４】
次に、本実施形態では、親機１と子機２のモードは、それぞれ独立して切り替えられるので、親機１が省電力モードでも、子機２は表示モードの場合がある。子機２で表示を行うには、子機２は、親機１から映像信号を受信しなければならない。従って、本実施形態では、親機１が省電力モードでも、子機２が表示モードであれば、親機１は、子機２に映像信号を送信するため、Ａ／Ｄ変換器１４５、データ変換器１４６、データ変換器１４７等を駆動させ続け、制御装置３からの映像信号を処理し、子機２に映像信号を送信しなければならない。一方で、親機１と子機２がともに省電力モードである場合には、Ａ／Ｄ変換器１４５、データ変換器１４６、データ変換器１４７等を省電力モードにする等により、電力を消費しない状態にすることができる。
【０１０５】
そこで、処理部１４は、Ａ／Ｄ変換器１４５、データ変換器１４６等が駆動していて、親機１の液晶コントローラ１４１が映像信号の供給を受けている状態であるかを確認する（ステップ♯５２）。言い換えると、子機２が表示モードであるため、Ａ／Ｄ変換器１４５、データ変換器１４６等が駆動状態であるか確認する。映像信号を受けていなければ（ステップ♯５２のＮｏ）、Ａ／Ｄ変換器１４５、データ変換器１４６、液晶コントローラ１４１等を駆動させ、液晶コントローラ１４１への映像信号の供給を開始させ、親機１が映像信号に基づく表示を行えるようにする（ステップ♯５３）
【０１０６】
そして、液晶コントローラ１４１が映像信号を処理し、液晶パネルを映像信号に基づき駆動させる状態となれば（ステップ♯５２のＮｏ及びステップ♯５３の後）、処理部１４は、バックライト１１１を点灯させ、液晶パネル１１０での表示を開始する（ステップ♯５４）。
【０１０７】
次に、処理部１４は、図９に示した子機２のモードの認定結果に基づき、子機２が省電力モードであるか否かを確認する（ステップ♯５５）。もし、子機２が省電力モードであれば（ステップ♯５５のＹｅｓ）、子機２への映像信号の送信は不要なので、処理部１４は、例えば、データ変換器１４７の停止や、Ｉ／Ｆ部１５に指示することにより、子機２への映像信号の送信を停止させ、映像信号を子機２に送信しない（ステップ♯５６）。これにより、親機１だけの省電力モードからの復帰や、親機１だけ表示モードとすることができる。一方、子機２が表示モードであれば（ステップ♯５５のＮｏ）、データ変換器１４７を駆動させ、Ｉ／Ｆ部１５から子機２に映像信号を送信する（ステップ♯５７）。
【０１０８】
更に、処理部１４は、親機１のタッチパネルコントローラ１４３に、タッチパネル１２０の出力電圧をスキャンさせ（ステップ♯５８）、親機１のタッチパネル１２０に操作者による入力の有無を確認する（ステップ♯５９）。もし、入力があれば（ステップ♯５９のＹｅｓ）、処理部１４は、タイマ１４４による親機１の省電力モード移行までの計時をリセットさせる（ステップ♯６０）。一方、入力がなければ（ステップ♯５９のＮｏ）、ステップ♯６１に移行する。そして、ステップ♯６１では、処理部１４は親機１がタイムアップとなったかを確認する（ステップ♯６１）。もし、タイムアップであれば（ステップ♯６１のＹｅｓ）、親機１は省電力モードに移行する。一方、タイムアップでなければ（ステップ♯６１のＮｏ）、例えば、ステップ♯５５に戻る。尚、ステップ♯５８〜６１は、親機１のみの省電力モード移行までの所定時間を計時する点のみ異なるが、ステップ♯５８〜♯６１は、第１の実施形態でのステップ♯５、７〜９と同様の処理である（図５参照）。
【０１０９】
〈省電力モード〉
次に、図１１に基づき、第２の実施形態に係る親機１の省電力モードを説明する。図１１に示すように、親機１が省電力モードに移行した際、処理部１４は、まず、バックライトコントローラ１４２を停止させる等により、バックライト１１１をＯＦＦする（ステップ♯７１）。更に、処理部１４は、液晶パネル１１０への電力供給を停止させる（ステップ♯７２）。尚、ステップ♯７１、７２は、第１の実施形態でのステップ♯１１、１３と同様の処理である（図６参照）。
【０１１０】
そして、処理部１４は、図９に示した子機２のモードの認定結果に基づき、子機２が省電力モードであるか否かを確認する（ステップ♯７３）。もし、子機２が省電力モードであれば（ステップ♯７３のＹｅｓ）、即ち、親機１も子機２も省電力モードであれば（ステップ♯７３のＹｅｓ）、親機１で表示を行う必要も、子機２に映像信号を送信する必要もないので、処理部１４は、Ａ／Ｄ変換器１４５、データ変換器１４６、液晶コントローラ１４１や、データ変換器１４７を省電力モードとするか、電力供給を遮断して、液晶コントローラ１４１への映像信号の供給を停止し（ステップ♯７４）、子機２への映像信号の送信を停止する（ステップ♯７５）。
【０１１１】
一方、子機２が省電力モードでなければ（ステップ♯７３のＮｏ）、子機２に映像信号を送信しなければならないので、Ａ／Ｄ変換器１４５、データ変換器１４６、データ変換器１４７を省電力モードとせず、駆動させ、親機１は子機２に映像信号を送信する（ステップ♯７６）。その後、例えば、処理部１４は、親機１のタッチパネルコントローラ１４３に、タッチパネル１２０の出力電圧をスキャンさせ（ステップ♯７７）、親機１のタッチパネル１２０に操作者による入力の有無を確認する（ステップ♯７８）。もし、入力があれば（ステップ♯７８のＹｅｓ）、処理部１４は、タイマ１４４による親機１の省電力モード移行までの計時をリセットさせ（ステップ♯７９）、表示モードに移行する。もし、入力がなければ（ステップ♯７８のＮｏ）、例えば、ステップ♯７３に戻る。尚、ステップ♯７７〜♯７９は、図１０のステップ♯５８〜♯６０と同様の処理であり、詳細な説明は省略する。
【０１１２】
このようにして、本実施形態の構成によれば、親機１と子機２は、独立して省電力モードに移行し、又、省電力モードから復帰するので、入力部に入力のない親機１又は子機２のいずれか一方を、省電力モードのままとすることができる。従って、使用しない方の表示入力装置は、省電力モードのままとされ、表示システム５全体として高い省電力効果が得られる。
【０１１３】
本発明の実施形態を説明したが、本発明の範囲はこれに限定されるものではなく、発明の主旨を逸脱しない範囲で種々の変更を加えて実施することができる。
【産業上の利用可能性】
【０１１４】
本発明は、親子接続される表示入力装置や、この表示入力装置を含む表示システムに利用可能である。
【符号の説明】
【０１１５】
１    親機（表示入力装置）
１１    表示部（第１表示部）
１１０  液晶パネル（親機、第１表示部の一部）
１１１  バックライト（親機、第１表示部の一部）
１２    入力部（第１入力部）
１２０  タッチパネル（親機、第１入力部）
１４  処理部（親機、第１処理部）
１４４  タイマ
１４５  Ａ／Ｄ変換器（データ変換器の一種）
１４６、１４７  データ変換器
１５    Ｉ／Ｆ部（第１通信部）
２      子機（表示入力装置）
２０    Ｉ／Ｆ部（第２通信部）
２１    表示部（第２表示部）
２１０  液晶パネル（子機、第２表示部の一部）
２１１  バックライト（子機、第２表示部の一部）
２２    入力部（第２入力部）
２２０  タッチパネル（子機、第２入力部）
２４  処理部（子機、第２処理部）
３    制御装置
４    制御対象
５    表示システム
【図１】
2010231496.tif 000003
【図２】
2010231496.tif 000004
【図３】
2010231496.tif 000005
【図４】
2010231496.tif 000006
【図５】
2010231496.tif 000007
【図６】
2010231496.tif 000008
【図７】
2010231496.tif 000009
【図８】
2010231496.tif 000010
【図９】
2010231496.tif 000011
【図１０】
2010231496.tif 000012
【図１１】
2010231496.tif 000013